(57)【特許請求の範囲】
【請求項１】
アプリケーションを起動することによって表示情報を表示部へ表示する表示手段と、
本体が回転されることによって当該本体の表面及び裏面の向きがそれぞれ反対の向きに向けられたことを検出する検出手段と、
前記検出手段によって前記本体の表面及び裏面の向きがそれぞれ反対の向きに向けられたことを検出すると、前記表示部に表示されている表示情報を表示するアプリケーションの情報に従って、前記表面が向けられたユーザが閲覧可能な表示情報を表示するアプリケーションを特定する特定手段と、
を備え、
前記表示手段は、前記特定手段によって特定されたアプリケーションに切り替えて、前記表面が向けられたユーザが閲覧可能な表示情報を前記表示部に表示する
ことを特徴とする携帯端末。
【請求項２】
前記本体の表示部の向きに応じた前記アプリケーションの起動指示を受付ける受付手段を備え、
前記受付手段は、前記本体の表面及び裏面の向きがそれぞれ反対の向きに向けられた後、表示情報を表示する新たなアプリケーションの起動指示を受付け、
前記特定手段は、前記検出手段によって前記本体の表面及び裏面の向きがそれぞれ反対の向きに向けられたことを検出すると、前記新たなアプリケーションの情報に従って、前記表面が向けられたユーザが閲覧可能な表示情報を表示するアプリケーションを特定し、
前記表示手段は、前記特定手段によって特定したアプリケーションの起動によって表示する表示情報を前記表示部へ表示することを特徴とする請求項１に記載の携帯端末。
【請求項３】
前記特定手段は、前記検出手段によって前記本体の表面及び裏面の向きがそれぞれ反対の向きに向けられたことを検出すると、前記表示部に表示された表示情報の所定領域の表示情報を前記表示部に表示するアプリケーションを特定し、一方、前記所定領域以外の表示情報を前記表示部に対し非表示とするアプリケーションを特定することを特徴とする請求項１に記載の携帯端末。
【請求項４】
それぞれ反対の向きで表示情報を表示するアプリケーションが対応付けられて記憶されている記憶手段を備え、
前記特定手段は、前記検出手段によって前記本体の表面及び裏面の向きがそれぞれ反対の向きに向けられたことを検出すると、前記表示部に表示された表示情報を表示するアプリケーションの情報に従って、前記表面が向けられたユーザが閲覧可能な表示情報を表示するアプリケーションを前記記憶手段から取得して特定することを特徴とする請求項１または２に記載の携帯端末。
【請求項５】
前記検出手段は、本体が反転されることによって、当該本体の表面及び裏面の向きがそれぞれ反対の向きに向けられたことを検出することを特徴とする請求項１乃至４の何れか１項に記載の携帯端末。
【請求項６】
携帯端末における表示方法であって、
前記携帯端末の表示手段は、アプリケーションを起動することによって表示情報を表示部へ表示する表示ステップ、
前記携帯端末の検出手段は、本体が回転されることによって当該本体の表面及び裏面の向きがそれぞれ反対の向きに向けられたことを検出する検出ステップ、
前記携帯端末の特定手段は、前記検出ステップによって前記本体の表面及び裏面の向きがそれぞれ反対の向きに向けられたことを検出すると、前記表示部に表示されている表示情報を表示するアプリケーションの情報に従って、前記表面が向けられたユーザが閲覧可能な表示情報を表示するアプリケーションを特定する特定ステップ、
を含み、
前記表示ステップは、前記特定ステップによって特定されたアプリケーションに切り替えて、前記表面が向けられたユーザが閲覧可能な表示情報を前記表示部に表示すること
を含むことを特徴とする携帯端末の表示方法。
【請求項７】
携帯端末において読取実行可能なプログラムであって、
前記携帯端末を、
アプリケーションを起動することによって表示情報を表示部へ表示する表示手段と、
本体が回転されることによって当該本体の表面及び裏面の向きがそれぞれ反対の向きに向けられたことを検出する検出手段と、
前記検出手段によって前記本体の表面及び裏面の向きがそれぞれ反対の向きに向けられたことを検出すると、前記表示部に表示されている表示情報を表示するアプリケーションの情報に従って、前記表面が向けられたユーザが閲覧可能な表示情報を表示するアプリケーションを特定する特定手段と、
して機能させ、
前記表示手段は、前記特定手段によって特定されたアプリケーションに切り替えて、前記表面が向けられたユーザが閲覧可能な表示情報を前記表示部に表示する
として機能させることを特徴とするプログラム。
【発明の詳細な説明】
【技術分野】
【０００１】
本発明は、携帯端末のディスプレイへの表示制御であって、特に携帯端末の傾きに応じた表示の切替えに関するものである。
【背景技術】
【０００２】
近年、携帯端末の普及が高まり、自身が参照している携帯端末に表示されたアプリケーションを第三者へ見せる場合、携帯端末を回転、あるいは傾けて見せるため、携帯端末を差し出された第三者にとっては、アプリケーションにおける文字が見えにくいという難点があった。
【０００３】
そこで、このような問題を解決するため、アプリケーションで使用されている文字を携帯端末の傾き角度に応じて回転させ、正立させることで、読みやすい文字を表示する技術が開示されている（例えば、特許文献１参照）
【先行技術文献】
【特許文献】
【０００４】
【特許文献１】特開２００３―２１６１３５号公報
【発明の概要】
【発明が解決しようとする課題】
【０００５】
しかしながら、銀行の窓口等で、営業担当が携帯端末を用いて金融商品を顧客へ紹介するにあたり、営業担当と顧客とが対面式に座席しているような状況では、営業担当が、顧客には見られたくない情報、例えば、金融商品を売り込むための説明用マニュアル等を携帯端末に表示して、その後、説明用マニュアル等を閉じて、顧客に対して携帯端末を傾けて金融商品を紹介するような状況では、説明用マニュアル等を表示したり、閉じたりするため、非常に面倒な作業になり兼ねないが、特許文献１に記載の技術では、この問題を解決するには至らない。
【０００６】
そこで、本発明では、ユーザに手間をかけることなく、携帯端末に適切な表示情報を表示するアプリケーションを特定する携帯端末、表示方法、及びプログラムを提供することを目的とする。
【課題を解決するための手段】
【０００７】
上記課題を解決するための第一の発明は、アプリケーションを起動することによって表示情報を表示部へ表示する表示手段と、本体が回転されることによって当該本体の表面及び裏面の向きがそれぞれ反対の向きに向けられたことを検出する検出手段と、前記検出手段によって前記本体の表面及び裏面の向きがそれぞれ反対の向きに向けられたことを検出すると、前記表示部に表示されている表示情報を表示するアプリケーションの情報に従って、前記表面が向けられたユーザが閲覧可能な表示情報を表示するアプリケーションを特定する特定手段と、を備え、前記表示手段は、前記特定手段によって特定されたアプリケーションに切り替えて、前記表面が向けられたユーザが閲覧可能な表示情報を前記表示部に表示することを特徴とする携帯端末である。
【０００８】
上記課題を解決するための第二の発明は、携帯端末における表示方法であって、前記携帯端末の表示手段は、アプリケーションを起動することによって表示情報を表示部へ表示する表示ステップ、前記携帯端末の検出手段は、本体が回転されることによって当該本体の表面及び裏面の向きがそれぞれ反対の向きに向けられたことを検出する検出ステップ、前記携帯端末の特定手段は、前記検出ステップによって前記本体の表面及び裏面の向きがそれぞれ反対の向きに向けられたことを検出すると、前記表示部に表示されている表示情報を表示するアプリケーションの情報に従って、前記表面が向けられたユーザが閲覧可能な表示情報を表示するアプリケーションを特定する特定ステップ、を含み、前記表示ステップは、前記特定ステップによって特定されたアプリケーションに切り替えて、前記表面が向けられたユーザが閲覧可能な表示情報を前記表示部に表示することを含むことを特徴とする携帯端末の表示方法である。
【０００９】
上記課題を解決するための第三の発明は、携帯端末において読取実行可能なプログラムであって、前記携帯端末を、アプリケーションを起動することによって表示情報を表示部へ表示する表示手段と、本体が回転されることによって当該本体の表面及び裏面の向きがそれぞれ反対の向きに向けられたことを検出する検出手段と、前記検出手段によって前記本体の表面及び裏面の向きがそれぞれ反対の向きに向けられたことを検出すると、前記表示部に表示されている表示情報を表示するアプリケーションの情報に従って、前記表面が向けられたユーザが閲覧可能な表示情報を表示するアプリケーションを特定する特定手段と、して機能させ、前記表示手段は、前記特定手段によって特定されたアプリケーションに切り替えて、前記表面が向けられたユーザが閲覧可能な表示情報を前記表示部に表示するとして機能させることを特徴とするプログラムである。
【発明の効果】
【００１０】
本発明に依れば、携帯端末の向きに応じて表示部へ表示情報を表示するアプリケーションを特定することで、ユーザに手間をかけさせずに、携帯端末に適切な表示情報を表示部へ表示するアプリケーションを特定することができる、という効果を奏する。
【図面の簡単な説明】
【００１１】
【図１】本発明の実施形態に係る携帯端末のシステムを機能的に示した構成図である。
【図２】本発明の実施形態に係る携帯端末のハードウェアの概略構成を示す構成図である。
【図３】本発明の実施形態に係る携帯端末に表示された営業用の画面に営業用のアプリケーションを表示していることを示す構成図である。
【図４】本発明の実施形態に係る携帯端末に表示された営業用の画面に営業用のアプリケーションの具体例を表示していることを示す構成図である。
【図５】本発明の実施形態に係る携帯端末に表示された顧客用の画面に顧客用のアプリケーションを表示していることを示す構成図である。
【図６】本発明の実施形態に係る携帯端末に表示された顧客用の画面に顧客用のアプリケーションの具体例を表示していることを示す構成図である。
【図７】本発明の実施形態において、携帯端末の回転によって、営業用のアプリケーションを顧客用のアプリケーションへ表示の切替を行うことを説明するための説明図である。
【図８】本発明の実施形態に係る携帯端末に於いて実行される、携帯端末の回転によって、営業用のアプリケーションを顧客用のアプリケーションへ表示の切替を行う処理を示すフローチャートである。
【図９】本発明の実施形態に係る携帯端末に於いて実行される各処理に於いて用いるアプリケーション定義テーブルの構成を示す構成図である。
【発明を実施するための形態】
【００１２】
以下、図面を参照して、本発明の実施形態を詳細に説明する。
【００１３】
図１は、本発明の実施形態に係る携帯端末のシステムの概略構成を機能的に示した構成図である。尚、本構成図は、あくまでも機能的に示したものであり、種々のハードウェアから構成されることは言うまでもない。
【００１４】
携帯端末１００は、携帯端末１００自身に記憶したアプリケーションを表示し、アプリケーションに対するユーザからの指示入力に応じた処理結果を表示する表示部１０１を備えており、表示部１０１については、タッチスクリーンで形成されており、ユーザが表示部１０１に触れることによって、携帯端末１００に指示入力を行うことが可能である。
【００１５】
更に、携帯端末１００は、表示部１０１にアプリケーションを描画するための描画部１０２、アプリケーションに関する種々のデータを記憶したり、携帯端末１００において実行される処理に於いて用いられるテーブル等を備える記憶部１０３、携帯端末１００において実行される種々の処理を制御する制御部１０４、携帯端末１００の角速度等の物理量を検出するジャイロセンサー等を示す角度検出部１０５、角度検出部１０５と携帯端末１００とを接続し、携帯端末１００の回転イベントを検出する監視部１０６を含んでいる。
【００１６】
携帯端末１００における主な動作としては、制御部１０４は、表示部１０１に対して入力された指示内容を受付けると、指示内容に基づき記憶部１０３に記憶されたアプリケーションに関するデータを取得して、描画部１０２へ出力する。
【００１７】
描画部１０２は、入力されたデータに基づいて表示部１０１に対して当該アプリケーションを表示し、ユーザが、携帯端末１００を回転させると、角度検出部１０５の角速度等に基づいて、監視部１０６が、携帯端末１００が回転されたか否かを判定することで、回転イベントを検知する。
【００１８】
監視部１０６は、検知した回転イベントを制御部１０４へ出力すると、記憶部１０３から表示部１０１に表示されたアプリケーションに関係する別のアプリケーションに関するデータを取得し、描画部１０２によって、表示部１０１へ別のアプリケーションを表示する。
【００１９】
次に図２を用いて、携帯端末１００のハードウェアの概略構成を説明する。
【００２０】
ＣＰＵ２０１は、システムバス２０４に接続される各デバイスやコントローラを統括的に制御する。
【００２１】
また、ＲＯＭ２０２あるいは外部メモリ２１１には、ＣＰＵ２０１の制御プログラムであるＢＩＯＳ(Basic Input / Output System)やオペレーティングシステムプログラム（以下、ＯＳ）や、携帯端末１００の実行する機能を実現するために必要な後述する各種プログラム等が記憶されている。ＲＡＭ２０３は、ＣＰＵ２０１の主メモリ、ワークエリア等として機能する。
【００２２】
ＣＰＵ２０１は、処理の実行に際して必要なプログラム等をＲＡＭ２０３にロードして、プログラムを実行することで各種動作を実現するものである。
【００２３】
また、入力コントローラ（入力Ｃ）２０５は、入力部２０９としてのキーボードや不図示のマウス等のポインティングデバイスからの入力を制御する。
【００２４】
ビデオコントローラ（ＶＣ）２０６は、ディスプレイ２１０としてのＣＲＴディスプレイ（ＣＲＴ）等の表示器への表示を制御する。表示器はＣＲＴだけでなく、液晶ディスプレイでも構わない。これらは必要に応じて管理者が使用するものである。本発明には直接関係があるものではない。
【００２５】
メモリコントローラ（ＭＣ）２０７は、ブートプログラム、ブラウザソフトウエア、各種のアプリケーション、フォントデータ、ユーザファイル、編集ファイル、各種データ等を記憶するハードディスク（ＨＤ）やフロッピーディスク（登録商標  ＦＤ）或いはＰＣＭＣＩＡカードスロットにアダプタを介して接続されるコンパクトフラッシュ（登録商標）メモリ等の外部メモリ２１１へのアクセスを制御する。
【００２６】
通信Ｉ／Ｆコントローラ（通信Ｉ／ＦＣ）２０８は、ネットワークを介して、外部機器と接続・通信するものであり、ネットワークでの通信制御処理を実行する。例えば、ＴＣＰ／ＩＰを用いたインターネット通信等が可能である。
【００２７】
なお、ＣＰＵ２０１は、例えばＲＡＭ２０３内の表示情報用領域へアウトラインフォントの展開（ラスタライズ）処理を実行することにより、ディスプレイ２１０上での表示を可能としている。また、ＣＰＵ２０１は、ディスプレイ２１０上の不図示のマウスカーソル等でのユーザ指示を可能とする。
【００２８】
また、ディスプレイ２１０は、タッチスクリーンで形成されており、ユーザがディスプレイ２１０に触れることで、携帯端末１００に対して指示入力を行うことが可能である。
【００２９】
本発明を実現するためのプログラムは、外部メモリ２１１に記録されており、必要に応じてＲＡＭ２０３にロードされることによりＣＰＵ２０１によって実行されるものである。さらに、本発明に係わるプログラムが用いる定義ファイル及び各種情報テーブルは、外部メモリ２１１に格納されており、これらについての詳細な説明は後述する。
【００３０】
図３には、携帯端末１００の表示部１０１に表示されたアプリケーションの一例を示しており、図３に示すアプリケーションは、自分だけに必要な情報を自分だけに見せていることを表している。
【００３１】
例えば、図３に示すアプリケーションのうち、情報表示１及び情報表示２については、営業担当のみでなく、顧客にも見せても支障のない、あるいは顧客へ紹介すべき金融商品等の情報が表示されているとした場合、その下段には、情報表示１及び情報表示２に関して、顧客へ説明をする際のポイント等の営業担当が参照したい情報を含めて表示する。
【００３２】
具体的な例としては、図４の上段に示すように、顧客へ紹介したい金融商品の他社を含めたシェア等を表示させておき、図４の下段に示すように、上段に示すシェア情報を基に、金融商品を紹介するためのポイント等の営業担当が参照したい情報を表示する。
【００３３】
一方、図５には、携帯端末１００の表示部１０１に表示されたアプリケーションの一例を示しているが、図３に示すアプリケーションに関係する別のアプリケーションが表示されており、自分だけでなく、第三者に見せても良いアプリケーションのみを表示していることを表している。
【００３４】
例えば、図３に示すアプリケーションのうち、情報表示１及び情報表示２については、営業担当のみでなく、顧客にも見せても支障のない、あるいは顧客へ紹介すべき金融商品等の情報が表示されているとしており、その下段には、情報表示１及び情報表示２に関して、顧客へ説明をする際のポイント等の営業担当が参照したい情報を含めて表示していた。
【００３５】
しかしながら、そのまま、表示部１０１に表示されたアプリケーションを第三者、つまり顧客へ見せた場合、その下段に表示された営業担当のみが参照したい情報については、顧客へ開示することを避けるため、携帯端末１００を回転させて顧客へ提示した際に、情報表示１及び情報表示２に表示された情報は残し、下段に表示された営業担当のみが参照したい情報を非表示として、アプリケーションを表示部１０１へ表示する。
【００３６】
但し、図３及び図５では、共通する情報表示１及び情報表示２を備える構成としているが、図３に示すアプリケーションとは、関係性があるものでも、図５には、共通する情報を表示せずに、全く異なるアプリケーションを表示させる態様でも良い。
【００３７】
尚、図６には、図５に示す情報表示１及び情報表示２の具体的な例として、顧客へ紹介したい金融商品の他社を含めたシェア等を示しており、図４の上段に示す情報と同様の情報である。
【００３８】
図７には、携帯端末１００を回転させることによって、表示部１０１へ表示されたアプリケーションが切り替わることを示している。
【００３９】
営業担当が、携帯端末１００の表示部１０１に表示されたアプリケーション３００（営業担当のみが参照したい情報を含む）を参照しながら顧客に対して、金融商品の紹介等を行った後、顧客へ見せたい情報が存在した場合、営業担当は、携帯端末１００を回転させる。
【００４０】
その際に、角度検出部１０５によって検出した携帯端末１００の角速度等の物理量に基づいて、監視部１０６は、携帯端末１００が回転したことを検知すると、表示部１０１に対してアプリケーション３０１（アプリケーション３００と同じ）からアプリケーション３０２へ表示を切り替える。
【００４１】
そして、顧客は、表示部１０１に表示されたアプリケーション３０３（アプリケーション３０２と同じ）の情報を参照して、金融商品に関する情報を目にすることとなる。
【００４２】
これによって、単に、携帯端末１００を回転させるだけで、営業担当のみが参照したい情報を顧客へ開示することなく、商談を進めることが可能となり、営業担当の手間を軽減することが可能となる。
【００４３】
次に、図８に示すフローチャートを用いて、携帯端末の回転により表示されるアプリケーションを切り替える処理を説明する。尚、本処理は、携帯端末１００のＣＰＵ２０１の制御の下、処理が実行される。
【００４４】
ステップＳ１００では、表示部１０１に営業用（営業担当が参照する）の画面（不図示）を表示し、ステップＳ１０１では、制御部１０４は、表示部１０１に表示された営業用の画面から営業用のアプリケーションの起動指示を受付けたか否かを判定し、受付けたと判定した場合、ステップＳ１０２へ処理を進め、受付けたと判定しない場合、ステップＳ１０４へ処理を進める。
【００４５】
ステップＳ１０２では、制御部１０４は、ステップＳ１０１において起動指示を受付けた営業用のアプリケーションに関するデータを記憶部１０３から取得し、ステップＳ１０３では、ステップＳ１０２において取得した営業用のアプリケーションに関するデータを用いて、表示部１０１に表示された営業用の画面の表示領域に描画部１０２によって表示する。この際、営業用のアプリケーションには、ＩＤが振られているため（詳細後述）、このＩＤによって、記憶部１０３に記憶されたアプリケーションを特定することが可能である。
【００４６】
ステップＳ１０４では、営業用の画面から営業用のアプリケーションの起動指示を受付けていない場合、つまり、顧客用の画面に表示されたアプリケーションに関係する営業用のアプリケーションを、携帯端末１００が回転した際に、営業用のアプリケーションを表示部１０１に表示する。
【００４７】
本ステップでは、ステップＳ１０８において表示部１０１に表示された顧客用のアプリケーションに関係する営業用のアプリケーションを特定して、表示部１０１に表示するものであるが、特定の方法としては、図９に示すアプリケーション定義テーブルを用いて特定を行う。
【００４８】
アプリケーション定義テーブルは、顧客用のアプリケーションを一意に識別するための顧客用アプリケーションＩＤ、及び営業用のアプリケーションを一意に識別するための営業用アプリケーションＩＤを含んで構成されている。尚、図９では、顧客用アプリケーションＩＤと営業用アプリケーションＩＤとは１対１で対応しているが、Ｎ対１、１対Ｎで対応しても良い（Ｎは、自然数）。
【００４９】
営業用及び顧客用を含めてアプリケーションを一意に識別するＩＤが振られており、当該ＩＤが各アプリケーションに組込まれた構成を備えており、本ステップでは、ステップＳ１０８において表示された顧客用のアプリケーションのＩＤを取得し、取得した顧客用アプリケーションＩＤに該当するアプリケーション定義テーブルの顧客用アプリケーションＩＤに対応する営業用アプリケーションＩＤを取得し、取得した営業用アプリケーションＩＤに該当する営業用のアプリケーションに関するデータを記憶部１０３から取得する。
【００５０】
そして、ステップＳ１０３において、営業用のアプリケーションを表示部１０１に表示する。
【００５１】
ステップＳ１０５では、監視部１０６によって、携帯端末１００が回転したか否かを判定し、回転したと判定した場合、ステップＳ１０６へ処理を進め、回転したと判定しない場合、ステップＳ１１３へ処理を進める。
【００５２】
ステップＳ１０６では、表示部１０１に顧客用（顧客が参照する）の画面（不図示）を表示し、ステップＳ１０７では、制御部１０４は、ステップＳ１０３において表示部１０１に表示された営業用のアプリケーションに関係する顧客用のアプリケーションに関するデータを記憶部１０３から取得する。
【００５３】
本ステップにおいて、営業用のアプリケーションから顧客用のアプリケーションを特定する方法としては、前述した方法と同様な方法を用いて、ステップＳ１０３において表示された営業用のアプリケーションのＩＤを取得し、取得した営業用アプリケーションＩＤに該当するアプリケーション定義テーブルの営業用アプリケーションＩＤに対応する顧客用アプリケーションＩＤを取得し、取得した顧客用アプリケーションＩＤに該当する顧客用のアプリケーションに関するデータを記憶部１０３から取得する。
【００５４】
ステップＳ１０８では、ステップＳ１０７において取得した顧客用のアプリケーションに関するデータを用いて、表示部１０１に表示された顧客用の画面の表示領域に描画部１０２によって表示する。
【００５５】
ステップＳ１０９では、制御部１０４は、表示部１０１に表示された顧客用の画面から顧客用のアプリケーションの起動指示を受付けたか否かを判定し、受付けたと判定した場合、ステップＳ１１２へ処理を進め、受付けたと判定しない場合、ステップＳ１１０へ処理を進める。
【００５６】
ステップＳ１１０では、監視部１０６によって、携帯端末１００が回転したか否かを判定し、回転したと判定した場合、ステップＳ１１１へ処理を進め、回転したと判定しない場合、ステップＳ１０９へ処理を進める。
【００５７】
ステップＳ１１１では、表示部１０１に営業用の画面（不図示）を表示した後、ステップＳ１０４へ処理を進める。
【００５８】
ステップＳ１１２では、ステップＳ１０９において起動指示を受付けた顧客用のアプリケーションに関するデータを記憶部１０３から取得する。この際、顧客用のアプリケーションには、ＩＤが振られているため、このＩＤによって、記憶部１０３に記憶されたアプリケーションを特定することが可能である。
【００５９】
ステップＳ１１３では、営業用の画面（不図示）が閉じられたか否かによって、本処理を終了するか否かを判定し、終了すると判定した場合、本処理を終了し、終了すると判定しない場合、ステップＳ１０１へ処理を進める。
【００６０】
以上、本発明に依れば、携帯端末の傾き角度に応じて表示するアプリケーションを切り替えることで、ユーザに手間をかけさせずに、携帯端末に適切なアプリケーションを表示することができる。
【００６１】
また、本発明におけるプログラムは、各処理方法をコンピュータが実行可能（読取可能）なプログラムであり、本発明の記憶媒体は、各処理方法をコンピュータが実行可能なプログラムが記憶されている。
【００６２】
なお、本発明におけるプログラムは、各装置の処理方法ごとのプログラムであってもよい。
【００６３】
以上のように、前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読取り実行することによっても、本発明の目的が達成されることは言うまでもない。
【００６４】
この場合、記録媒体から読み出されたプログラム自体が本発明の新規な機能を実現することになり、そのプログラムを記憶した記録媒体は本発明を構成することになる。プログラムを供給するための記録媒体としては、例えば、フレキシブルディスク，ハードディスク、光ディスク、光磁気ディスク、ＣＤ−ＲＯＭ、ＣＤ−Ｒ、ＤＶＤ−ＲＯＭ、磁気テープ、不揮発性のメモリカード、ＲＯＭ、ＥＥＰＲＯＭ、シリコンディスク等を用いることができる。
【００６５】
また、コンピュータが読み出したプログラムを実行することにより、前述した実施形態の機能が実現されるだけでなく、そのプログラムの指示に基づき、コンピュータで稼働しているＯＳ等が実際の処理の一部または全部を行い、その処理によって前述した実施形態の機能が実現される場合も含まれることは言うまでもない。
【００６６】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【００６７】
また、本発明は、システムあるいは装置にプログラムを供給することによって達成される場合にも適応できることは言うまでもない。この場合、本発明を達成するためのプログラムを格納した記録媒体を該システムあるいは装置に読み出すことによって、そのシステムあるいは装置が、本発明の効果を享受することが可能となる。
【００６８】
さらに、本発明を達成するためのプログラムをネットワーク上のサーバ、データベース等から通信プログラムによりダウンロードして読み出すことによって、そのシステム、あるいは装置が、本発明の効果を享受することが可能となる。なお、上述した各実施形態およびその変形例を組み合わせた構成も全て本発明に含まれるものである。
【符号の説明】
【００６９】
１００    携帯端末
１０１    表示部
１０２    描画部
１０３    記憶部
１０４    制御部
１０５    角度検出部
１０６    監視部
２０１    ＣＰＵ
２０２    ＲＯＭ
２０３    ＲＡＭ
２０４    システムバス
２０５    入力コントローラ
２０６    ビデオコントローラ
２０７    メモリコントローラ
２０８    通信Ｉ／Ｆコントローラ
２０９    入力部
２１０    ディスプレイ
２１１    外部メモリ
【図１】
0005970810.tif 000002
【図２】
0005970810.tif 000003
【図３】
0005970810.tif 000004
【図４】
0005970810.tif 000005
【図５】
0005970810.tif 000006
【図６】
0005970810.tif 000007
【図７】
0005970810.tif 000008
【図８】
0005970810.tif 000009
【図９】
0005970810.tif 000010